(57)【要約】【課題】  ピニオン・ラック機構などの成形部品に寸法精度のばらつきが生じていたとしても、部品点数を増やすことなく、ディスクトレイの出退動作時にピニオン・ラック機構のラックがピニオンに干渉することを防止する。【解決手段】  カムスライダ３の往復移動がピニオン・ラック機構４のピニオン４２の回転に追従する。カムスライダ３の有効移動範囲が、ピニオン４２の回転による追従移動範囲の全体を含んでそれよりも広い範囲に定められている。カムスライダ３に山形カム面７１を備えた樹脂製ばね片７を一体成形する。カムスライダ３が追従移動範囲の外側に移動したときに山形カム面７１の傾斜面を弾接させてラック４１をピニオン４２から離れる方向に付勢する係合体８が筐体１に備わっている。【選択図】        図１
2006079726.tif 000002
【特許請求の範囲】
【請求項１】
ディスクトレイによって筐体内に搬入されたディスクに対するディスク保持機構による保持動作及び保持解除動作を制御するためのカムスライダが上記筐体に往復移動可能に備わり、このカムスライダの往復移動が、カムスライダ側のラックと筐体側のピニオンとでなるピニオン・ラック機構のピニオンの回転に追従して行われるようになっていて、このカムスライダの有効移動範囲が、上記ピニオンの回転による追従移動範囲の全体を含んでそれよりも広い範囲に定められていると共に、そのカムスライダが上記追従移動範囲の外側に移動することによって上記ピニオン・ラック機構のピニオンとラックとの噛合いが解除されるようになっており、それらの噛合いが解除されているときに筐体に対する上記ディスクトレイによるディスクの搬入出が行われるようになっているディスク装置において、
ディスクトレイによるディスクの搬入出に際して行われる筐体に対するディスクトレイの出退移動が、ディスクトレイ側に設けられたガイド溝と、カムスライダ側に設けられて上記ガイド溝に嵌合した係止突起との共働によりカムスライダが定位置に位置決めされて行われるようになっていて、ディスクトレイの出退移動を行わせるためのトレイギヤが上記ピニオンと同軸一体に設けられていると共に、このピニオンが、上記ディスク保持機構に保持されたディスクの記録面を走査する走査手段を走行動作させるモータに連動し、
樹脂成形体でなる上記カムスライダに、２つの傾斜面でなる山形カム面を備えた樹脂製ばね片が両持ち梁状に一体成形されているのに対し、そのカムスライダが上記追従移動範囲の外側に移動したときに上記山形カム面の片側の傾斜面を弾接させて上記ラックを上記ピニオンから離れる方向に付勢する係合体が上記筐体に備わり、その係合体が、上記山形面の一方側の傾斜面を弾接させる第１突起と、上記山形面の他方側の傾斜面を弾接させる第２突起とに分かれていて、それらの第１及び第２の突起が、樹脂成形体でなる上記筐体に樹脂で一体成形されていることを特徴とするディスク装置。
【請求項２】
ディスクトレイによって筐体内に搬入されたディスクに対するディスク保持機構による保持動作及び保持解除動作を制御するためのカムスライダが上記筐体に往復移動可能に備わり、このカムスライダの往復移動が、カムスライダ側のラックと筐体側のピニオンとでなるピニオン・ラック機構のピニオンの回転に追従して行われるようになっていて、このカムスライダの有効移動範囲が、上記ピニオンの回転による追従移動範囲の全体を含んでそれよりも広い範囲に定められていると共に、そのカムスライダが上記追従移動範囲の外側に移動することによって上記ピニオン・ラック機構のピニオンとラックとの噛合いが解除されるようになっており、それらの噛合いが解除されているときに筐体に対する上記ディスクトレイによるディスクの搬入出が行われるようになっているディスク装置において、
上記カムスライダに２つの傾斜面でなる山形カム面を備えたばね片が備わっているのに対し、そのカムスライダが上記追従移動範囲の外側に移動したときに上記山形カム面の片側の傾斜面を弾接させて上記ラックを上記ピニオンから離れる方向に付勢する係合体が上記筐体に備わっていることを特徴とするディスク装置。
【請求項３】
ディスクトレイによるディスクの搬入出に際して行われる筐体に対するディスクトレイの出退移動が、ディスクトレイ側に設けられたガイド溝と、カムスライダ側に設けられて上記ガイド溝に嵌合した係止突起との共働によりカムスライダが定位置に位置決めされて行われるようになっている請求項２に記載したディスク装置。
【請求項４】
ディスクトレイの出退移動を行わせるためのトレイギヤが上記ピニオンと同軸一体に設けられていると共に、このピニオンが、上記ディスク保持機構に保持されたディスクの記録面を走査する走査手段を走行動作させるモータに連動している請求項２又は請求項３に記載したディスク装置。
【請求項５】
上記係合体が、上記山形面の一方側の傾斜面を弾接させる第１突起と、上記山形面の他方側の傾斜面を弾接させる第２突起とに分かれている請求項２ないし請求項４のいずれか１項に記載したディスク装置。
【請求項６】
上記ばね片が、樹脂成形体でなる上記カムスライダに両持ち梁状に一体成形された樹脂片でなる請求項２ないし請求項５のいずれか１項に記載したディスク装置。
【発明の詳細な説明】
【技術分野】
【０００１】
本発明は、ディスク装置、特に、筐体内に搬入されたディスクのディスク保持機構の動作を制御するためのカムスライダがピニオン・ラック機構のピニオンの回転に追従移動するようになっていて、そのカムスライダがその追従移動範囲の外側に移動されているときに、ピニオン・ラック機構の回転中のピニオンがラックと干渉することを防ぐための対策を講じたディスク装置に関する。
【背景技術】
【０００２】
図４はディスク装置の要部を説明するための概略平面図である。また、図５はディスクトレイ２が筐体１内に退入しきった状態での要部の拡大平面図、図６（Ａ）は図４の要部の拡大平面図、同（Ｂ）は問題点を説明するための要部拡大平面図である。
【０００３】
図１において、１はメインシャーシとしての筐体、２は筐体１に対して出退されるディスクトレイであり、筐体１にはカムスライダ３が左右方向Ｗに往復移動可能に取り付けられている。なお、ディスクトレイ２の出退移動は、筐体１に設けられているガイド手段（不図示）により案内されて行われる。
【０００４】
カムスライダ３は、図示していないディスク保持機構の動作を制御する要素である。具体的には、カムスライダ３のカム溝（不図示）に、筐体１に昇降可能に取り付けられてディスク保持機構を搭載しているドライブシャーシとしての可動フレーム（不図示）側の突起が係合していて、カムスライダ３が図中左方に往動すると、上記突起がカム溝により上方へ持ち上げられて可動フレームが上昇することにより、その可動フレームに搭載されているディスク保持機構がディスクを保持する動作を行う。これに対し、カムスライダ３が右方へ復動すると、上記突起がカム溝により下方へ押し下げられて可動フレームが下降することにより、上記ディスク保持機構がディスクの保持状態を解除する動作を行う。
【０００５】
上記カムスライダ３は、ラック４１とピニオン４２とでなるピニオン・ラック機構４の作用によって往復移動される。すなわち、ピニオン・ラック機構４のラック４１がカムスライダ３と一体に樹脂成形されているのに対し、そのラック４１の相手方である樹脂成形体でなるピニオン４２が筐体１の定位置に回転自在に取り付けられている。そして、ラック４１がピニオン４２に噛み合っているときに、筐体に設置されたモータ（不図示）の回転がピニオン４２に伝達されてラック４１に送り力が付与されると、ピニオン４２の回転方向に応じてカムスライダ３が左方又は右方に追従移動する。
【０００６】
また、図４に仮想線で示したように、ディスクトレイ２には長いラック部６１が備わり、このラック部６１に噛み合うトレイギヤ６２が、上記したピニオン４２と同軸一体に樹脂で成形されている。さらに、このディスク装置の上記可動フレームには、上記したディスク保持機構に保持されて回転するディスクの記録面を半径方向に走査するための走査手段、具体的には光ピックアップ（不図示）が備わっていて、この走査手段のディスク半径方向での走行動作が、上記ピニオン４２の回転駆動源としてのモータの動力で行われるようになっている。したがって、このディスク装置では、１つのモータが、ディスクトレイ２の出退動作と、走査手段の走行動作と、カムスライダ３の往復移動動作とを行わせるための駆動源として共用されている。
【０００７】
このディスク装置において、ピニオン４２の送り力がそのピニオン４２に噛み合っているラック４１に付与されることによって移動するカムスライダ３の移動範囲を追従移動範囲といい、カムスライダ３に許容されている左右方向Ｗでの移動範囲を有効移動範囲ということにすると、カムスライダ３の有効移動範囲は、ピニオン４２の回転による追従移動範囲の全体を含んでそれよりも広い範囲に定められている。そのため、カムスライダ３が上記追従移動範囲の外側に移動しているときには、ピニオン４２とラック４１とが離れて両者の噛合いが解除された状態になっている。そして、ピニオン４２とラック４１との噛合いが解除されている状態で、筐体１に対するディスクトレイ２の出退が筐体１側に設けられている上記ガイド手段に案内されて行われるのであり、そのようなディスクトレイ２の出退動作を通じて、ディスクトレイ２に載架されたディスクが筐体１内に搬入されたり筐体１内からその外側へ搬出されたりする。
【０００８】
図４に仮想線で示したように、ディスクトレイ２側に設けられたガイド溝５１とカムスライダ３側に設けられた係止突起５２とによって、ディスクトレイ２の出退移動中にカムスライダ３を定位置に保つことによりカムスライダ３側のラック４１をピニオン４２から離しておくための位置決め機構５が構成されている。このため、ディスクトレイ２の出退移動は、ディスクトレイ２側のガイド溝５１とカムスライダ３側の係止突起５２との共働によりカムスライダ３が定位置に位置決めされてピニオン４２とラック４１との噛合いが解除された状態で行われる。このような位置決め機構５によるカムスライダ３の位置決め状態は、ディスクトレイ２が筐体１外に突出しきった状態（トレイオープン状態）でも維持されている。そのために、ディスクトレイ２の出退移動中及びトレイオープン状態では、カムスライダ３が上記した追従移動範囲の外側（右側）に移動してカムスライダ３側のラック４１が筐体１側のピニオン４２から離れている。
【０００９】
一方、ディスクトレイ２がトレイオープン状態から筐体１内に退入する過程において、退入終点に到達する直前の段階では、カムスライダ３側の係止突起５２がディスクトレイ２側のガイド溝５１に連設されている外向き傾斜部５１ｂに進入し、それによってカムスライダ３が左方に移動するために、ラック４１が回転中のピニオン４２に接近した後に噛み合うようになる。そして、ディスクトレイ２が退入終点に到達するまでにカムスライダ３が上記した追従移動範囲を左方に移動し、ディスクトレイ２が退入終点に到達したとき、すなわち、カムスライダ３が退入しきった状態（トレイクローズ状態）では、カムスライダ３が上記した追従移動範囲の外側まで移動して図５のようにカムスライダ３側の係止突起５２が上記外向き傾斜部５１ｂに連設された横行部５１ａに進入し、併せて、同図のようにラック４１がピニオン４２から離れる。したがって、カムスライダ３側のラック４１は、トレイクローズ状態でも筐体１側のピニオン４２から離れている。
【００１０】
これに対し、ディスクトレイ２がトレイクローズ状態からトレイオープン状態にまで移動する過程において、その最初の段階では、光ピックアップでなる走査手段が初期位置に復帰する動作に連動してカムスライダ３が図５の位置から右方に押されて移動し、その移動によってカムスライダ３側の係止突起５２が上記横行部５１ａから外向き傾斜部５１ｂに進入するのに伴ってカムスライダ３が右方へ移動し、ラック４１がピニオン４２に噛み合ってカムスライダ３が上記した追従移動範囲を右方に移動する。そして、係止突起５２が外向き傾斜部５１ｂからガイド溝５１に進入した時点では、カムスライダ３が追従移動範囲の外側まで移動してラック４１がピニオン４２から離れる。
【００１１】
以上のように、上記構成を備えるディスク装置では、ディスクトレイ２の出退移動中及びトレイオープン状態では、図４又は図６（Ａ）に示したように、係止突起５２とガイド溝５１との共働により位置決めされたカムスライダ３が上記した追従移動範囲の右側に位置してラック４１がピニオン４２から離れており、トレイクローズ状態では、図５のように、カムスライダ３が上記した追従移動範囲の左側に位置してラック４１がピニオン４２から離れている。したがって、このような状態が維持されている限り、ディスクトレイ２の出退移動中に、ピニオン４２がラック４１と干渉して異音が発生したり動作不良が起こったりするという事態は起こり得ない。
【００１２】
ところで、従来よりディスク装置についての種々の提案がなされている（特許文献１、特許文献２、特許文献３、特許文献４参照）。このうち、特許文献１には、トレイの移動とピックアップを配設したドライブシャーシの回動とを１つのモータで行うようにしたディスクローディング装置についての記載があり、特許文献２には、１つのモータの動力をピックアップ駆動機構及びターンテーブル昇降機構の駆動力として用いる光ディスク装置についての記載がある。さらに、特許文献３には、ディスク装置において、スライダのカム溝を形成しているガイドピン受け部にばね性を持たせることによって部品精度のばらつきを吸収させる技術についての記載があり、特許文献４には、トレイギヤとスライダギヤとに１つの歯車を共用したディスク装置についての記載がある。
【特許文献１】特開２００２−２９８５４８号公報
【特許文献２】特開２００４−１８５７７１号公報
【特許文献３】特開２００３−１４１８４９号公報
【特許文献４】特開平９−２９７９５２号公報
【発明の開示】
【発明が解決しようとする課題】
【００１３】
図４、図５又は図６を参照して説明したディスク装置では、ラック４１がピニオン４２から離れているときに、ディスクトレイ２の出退移動が行われるようにしてある。また、トレイオープン状態及びトレイクローズ状態でもカムスライダ３側のラック４１がピニオン４２から離れるようにしてある。そして、１つのモータを、ディスクトレイ２の出退動作と、走査手段の走行動作と、カムスライダ３の往復移動動作とを行わせるための共通の駆動源として用いていることとの関係から、走査手段の走行動作中には、ピニオン４２がラック４１から離れて回転しているという状況が生まれる。
【００１４】
ところが、上記ディスク装置では、次に説明するような問題点が知見された。すなわち、図６（Ｂ）に拡大して示したように、ディスクトレイ２がトレイオープン状態から筐体１内への退入動作を行っているときに、矢印Ｒ１方向に回転中のピニオン４２の歯部４２ａがラック４１の歯部４１ａと干渉するおそれのあることが知見され、そのような干渉が起こると、異音が発生したり動作不良が発生したりする。また、ディスクトレイ２がトレイクローズ状態から筐体１外への突出動作を行っているときに、カムスライダ３の位置が不安定になってカムスライダ３が振動し、異音が発生するおそれのあることが知見された。
【００１５】
そこで、それらの原因を鋭意調査したところ、カムスライダ３を位置決めしている位置決め機構５やピニオン・ラック機構４についての寸法精度のばらつき、その他の成形部品についての寸法精度のばらつきが発生しているために、ピニオン４２の歯部４２ａがラック４１の歯部４１ａと干渉したり、カムスライダ３の位置が不安定になったりすることがあるということを突き止めた。
【００１６】
この点に関して、上掲の特許文献１〜４の記載によっては、図４〜図６を参照して説明したディスク装置に関して、ディスクトレイ２が退入動作を行っているときのピニオン４２とラック４１との干渉を回避するのに有効な対策などを見い出すことができない。
【００１７】
本発明は以上の状況の下でなされたものであり、上記した位置決め機構やピニオン・ラック機構、その他の成形部品に寸法精度のばらつきが生じていたとしても、ディスクトレイの出退動作時にピニオン・ラック機構のラックがピニオンに干渉することを未然に防止することができ、併せて、カムスライダの位置が不安定になることを未然に回避することのできるディスク装置を提供することを目的とする。
【００１８】
また、本発明は、上記目的を部品を追加することなく安価に達成することを意図している。
【課題を解決するための手段】
【００１９】
本発明に係るディスク装置は、ディスクトレイによって筐体内に搬入されたディスクに対するディスク保持機構による保持動作及び保持解除動作を制御するためのカムスライダが上記筐体に往復移動可能に備わり、このカムスライダの往復移動が、カムスライダ側のラックと筐体側のピニオンとでなるピニオン・ラック機構のピニオンの回転に追従して行われるようになっていて、このカムスライダの有効移動範囲が、上記ピニオンの回転による追従移動範囲の全体を含んでそれよりも広い範囲に定められていると共に、そのカムスライダが上記追従移動範囲の外側に移動することによって上記ピニオン・ラック機構のピニオンとラックとの噛合いが解除されるようになっており、それらの噛合いが解除されているときに筐体に対する上記ディスクトレイによるディスクの搬入出が行われるようになっている。そして、上記カムスライダに２つの傾斜面でなる山形カム面を備えたばね片が備わっているのに対し、そのカムスライダが上記追従移動範囲の外側に移動したときに上記山形カム面の片側の傾斜面を弾接させて上記ラックを上記ピニオンから離れる方向に付勢する係合体が上記筐体に備わっている。
【００２０】
この構成であれば、カムスライダが追従移動範囲の外側に移動しているときに、ラックがピニオンから離れる方向に付勢された状態に保たれるので、仮にピニオン・ラック機構に寸法精度のばらつきが生じていても、ディスクトレイの出退動作時にピニオン・ラック機構のラックがピニオンに干渉することが未然に防止され、併せて、カムスライダの位置も安定するようになる。
【００２１】
本発明では、ディスクトレイによるディスクの搬入出に際して行われる筐体に対するディスクトレイの出退移動が、ディスクトレイ側に設けられたガイド溝と、カムスライダ側に設けられて上記ガイド溝に嵌合した係止突起との共働によりカムスライダが定位置に位置決めされて行われるようになっている、という構成を採用することができる。この構成を採用した場合に、ガイド溝と係止突起とによって構成される位置決め機構に寸法精度のばらつきが生じていたとしても、ディスクトレイの出退動作時にピニオン・ラック機構のラックがピニオンに干渉することが未然に防止され、併せて、カムスライダの位置も安定するようになる。
【００２２】
本発明では、ディスクトレイの出退移動を行わせるためのトレイギヤが上記ピニオンと同軸一体に設けられていると共に、このピニオンが、上記ディスク保持機構に保持されたディスクの記録面を走査する走査手段を走行動作させるモータに連動している、という構成を採用することが可能である。この構成を採用すると、ディスクトレイが筐体内に退入した後にピニオンの回転が続行されるけれども、そのようにピニオンが回転し続けてもそのピニオンにラックが干渉するという事態を未然に防止することができる。
【００２３】
本発明では、上記係合体が、上記山形面の一方側の傾斜面を弾接させる第１突起と、上記山形面の他方側の傾斜面を弾接させる第２突起とに分かれている、という構成を採用することが可能である。
【００２４】
また、本発明では、上記ばね片が、樹脂成形体でなる上記カムスライダに両持ち梁状に一体成形された樹脂片でなる、という構成を採用することが望ましく、そうすることによって、ラックをピニオンから離れる方向に付勢する初期の作用が長期に亘って保たれるようになる。
【００２５】
本発明に係るディスク装置は、ディスクトレイによって筐体内に搬入されたディスクに対するディスク保持機構による保持動作及び保持解除動作を制御するためのカムスライダが上記筐体に往復移動可能に備わり、このカムスライダの往復移動が、カムスライダ側のラックと筐体側のピニオンとでなるピニオン・ラック機構のピニオンの回転に追従して行われるようになっていて、このカムスライダの有効移動範囲が、上記ピニオンの回転による追従移動範囲の全体を含んでそれよりも広い範囲に定められていると共に、そのカムスライダが上記追従移動範囲の外側に移動することによって上記ピニオン・ラック機構のピニオンとラックとの噛合いが解除されるようになっており、それらの噛合いが解除されているときに筐体に対する上記ディスクトレイによるディスクの搬入出が行われるようになっているディスク装置において、ディスクトレイによるディスクの搬入出に際して行われる筐体に対するディスクトレイの出退移動が、ディスクトレイ側に設けられたガイド溝と、カムスライダ側に設けられて上記ガイド溝に嵌合した係止突起との共働によりカムスライダが定位置に位置決めされて行われるようになっていて、ディスクトレイの出退移動を行わせるためのトレイギヤが上記ピニオンと同軸一体に設けられていると共に、このピニオンが、上記ディスク保持機構に保持されたディスクの記録面を走査する走査手段を走行動作させるモータに連動し、樹脂成形体でなる上記カムスライダに、２つの傾斜面でなる山形カム面を備えた樹脂製ばね片が両持ち梁状に一体成形されているのに対し、そのカムスライダが上記追従移動範囲の外側に移動したときに上記山形カム面の片側の傾斜面を弾接させて上記ラックを上記ピニオンから離れる方向に付勢する係合体が上記筐体に備わり、その係合体が、上記山形面の一方側の傾斜面を弾接させる第１突起と、上記山形面の他方側の傾斜面を弾接させる第２突起とに分かれていて、それらの第１及び第２の突起が、樹脂成形体でなる上記筐体に樹脂で一体成形されている、という構成を採用することによっていっそう具体化される。そして、この発明によると、上記した各発明の作用に加えて、樹脂製ばね片がカムスライダと一体成形され、係合体としての第１及び第２の突起が筐体に一体成形されていることにより、部品点数を増やすことなく、ディスクトレイの出退動作時にピニオン・ラック機構のラックがピニオンに干渉することが未然に防止され、併せて、カムスライダの位置も安定するようになる。
【発明の効果】
【００２６】
以上説明したように、本発明によれば、ピニオン・ラック機構などの成形部品に寸法精度のばらつきが生じていたとしても、部品点数を増やすことなく、ディスクトレイの出退動作時にピニオン・ラック機構のラックがピニオンに干渉することを未然に防止することができ、併せて、カムスライダの位置が不安定になることを未然に回避することができるようになる。したがって、ピニオン・ラック機構のラックとピニオンとの干渉に起因する異音の発生や動作不良、さらには、カムスライダの位置の不安定性に起因する振動や動作不良を生じにくいディスク装置を提供することが可能になる。
【発明を実施するための最良の形態】
【００２７】
図１は本発明の実施形態に係るディスク装置の要部を説明するための概略平面図である。また、図２はディスクトレイ２が筐体１内に退入しきったトレイクローズ状態での要部の拡大平面図、図３（Ａ）は図１の要部の拡大平面図、同（Ｂ）は山形カム面７１と係合体８との係合状態を示した拡大図、同（Ｃ）は同（Ａ）の一部を拡大した平面図である。
【００２８】
この実施形態のディスク装置では、図１のように、カムスライダ３にばね片７が備わっているのに対し、筐体１に第１及び第２の突起８１，８２に分割されている係合体８が備わっている。このうち、ばね片７は、樹脂成形体でなるカムスライダ３に両持ち梁状に一体成形された樹脂製ばね片でなり、その長さ方向中央部に、２つの傾斜面７２，７３（図３（Ｂ）参照）でなる山形カム面７１が形成されている。これに対し、係合体８を形成している第１突起８１及び第２突起８２は、樹脂成形体でなる筐体１に樹脂で一体成形されている。この実施形態において、ばね片７と係合体８とが追加されている点以外は、図４〜図６を参照して説明したディスク装置と同様の構成になっており、また、動作についても同様の同様の動作が行われる。したがって、図４〜図６に示した要素と同一の要素には、同一を符号を付すことによって説明の重複を回避する。
【００２９】
この実施形態において、図２のように、カムスライダ３が上記した追従移動範囲の左側に移動しているときには、山形カム面７１の一方側の傾斜面７２が第１突起８１に弾接し、それによって、ピニオン４２の左側に移動してそのピニオン４２から離れているラック４１が、ピニオン４２から離れる方向にさらに付勢されるようになっている。したがって、この状態では、カムスライダ３の位置が安定して振動を発生するといった事態が未然に防止される。この作用は、ピニオン・ラック機構４や位置決め機構５、その他の成形部品に寸法精度のばらつきが生じているとしても、そのことに関係なく発揮される。
【００３０】
同様に、図３（Ａ）のように、カムスライダ３が上記した追従移動範囲の右側に移動しているときには、同（Ｂ）に拡大して示したように山形カム面７１の他方側の傾斜面７３が第２突起８２に弾接し、それによって、ピニオン４２の右側に移動してそのピニオン４２から離れているラック４１が、ピニオン４２から離れる方向にさらに付勢されるようになっている。したがって、この状態では、同図（Ｃ）のように、矢印Ｒ１方向に回転中のピニオン４２の歯部ａに対して、ラック４１の歯部４１ａが離れた位置に確実に保持されて両者が干渉するという事態が未然に防止される。その結果、両者の干渉に起因して異音が発生したり動作不良が生じたりするおそれがなくなる。この作用も、ピニオン・ラック機構４や位置決め機構５、その他の成形部品に寸法精度のばらつきが生じているとしても、そのことに関係なく発揮される。
【００３１】
なお、ピニオン・ラック機構４の動作によってカムスライダ３が追従移動範囲内で移動するときには、ばね片７の撓み変形を伴って山形カム面７１が第１突起８１又は第２突起８２を乗り越えて移動する。
【図面の簡単な説明】
【００３２】
【図１】本発明の実施形態に係るディスク装置の要部を説明するための概略平面図である。
【図２】トレイクローズ状態での要部の拡大平面図である。
【図３】（Ａ）は図１の要部の拡大平面図、（Ｂ）は山形カム面と係合体との係合状態を示した拡大図、（Ｃ）は（Ａ）の一部を拡大した平面図である。
【図４】従来のディスク装置の要部を説明するための概略平面図である。
【図５】従来のディスク装置のトレイクローズ状態での要部の拡大平面図である。
【図６】（Ａ）は図４の要部の拡大平面図、（Ｂ）は問題点を説明するための要部拡大平面図である。
【符号の説明】
【００３３】
１  筐体
２  ディスクトレイ
３  カムスライダ
４  ピニオン・ラック機構
７  ばね片（樹脂製ばね片）
８  係合体
４１  ラック
４２  ピニオン
５１  ガイド溝
５２  係止突起
６２  トレイギヤ
７２，７３  傾斜面
７１  山形カム面
８１  第１突起
８２  第２突起
【図１】
2006079726.tif 000003
【図２】
2006079726.tif 000004
【図３】
2006079726.tif 000005
【図４】
2006079726.tif 000006
【図５】
2006079726.tif 000007
【図６】
2006079726.tif 000008